(57)【要約】      （修正有）【課題】キーの差込み部分を鍵穴へと自動的に誘導して鍵穴に挿入すると共に、キーを安定状態に保持する。【解決手段】外筒体１にキーガイド７を介して後退かつ回転可能に支持されたキー１６と、外筒体に非回転の状態で後退動可能に係合しかつ該外筒体の先端開口から突出する連結体２１と、キーを常に突出方向へ付勢するキー用復帰バネ３１と、連結体を常に突出方向へ付勢する連結体用復帰バネ４１とを備え、キーが錠前Ｘの鍵穴ａに交差状態に圧接する際にキーガイドに誘導されて回転すると、可動キー保持体９もキーと一緒に連結体に支持された状態で共働回転し、さらに、連結体が錠前の鍵穴の周囲（一部も含む）に押付けられながら所定位置まで後退すると共に、キーの差込み部分が鍵穴に完全に入り込んだ際に、該連結体の係合後端部が係合部５１に係合して外筒体と連結体とキーがそれぞれ一体的に結合する携帯型の錠前用キー挿入補助具。【選択図】図２
2012172495.tif 000002
【特許請求の範囲】
【請求項１】
外筒体にキーガイドを介して後退かつ回転可能に支持されたキーと、外筒体に案内手段を介して非回転の状態で後退動可能に係合しかつ該外筒体の先端開口から突出する連結体と、キーを常に突出方向へ付勢するキー用復帰バネと、連結体を常に突出方向へ付勢する連結体用復帰バネとを備え、さらに、連結体の先端部側にキーの差込み部分を保持した状態で該キーと共に共働回転する可動キー保持体を設け、またキーの後端部側にキー回転止用の係合部を設け、キーが錠前の鍵穴に交差状態に圧接する際にキーガイドに誘導されて回転すると、可動キー保持体も連結体に支持された状態でキーと一緒に共働回転し、連結体が錠前の鍵穴の周囲（一部も含む）に押付けられながら所定位置まで後退すると共に、キーの差込み部分が鍵穴に完全に入り込んだ際に、該連結体の係合後端部が前記係合部に係合して外筒体と連結体とキーがそれぞれ一体的に結合する携帯型の錠前用キー挿入補助具。
【請求項２】
請求項１に於いて、可動キー保持体は、連結体の先端部に所定位置で回転するように設けられているか又は連結体の先端部に回転かつ後退動可能に嵌合するかのいずれかであることを特徴とする携帯型の錠前用キー挿入補助具。
【請求項３】
請求項１又は請求項２に於いて、可動キー保持体が連結体の先端部に回転かつ後退動可能に嵌合する場合には、連結体用復帰バネが外筒体に内装されていると共に、該可動キー保持体用の復帰バネが、連結体用復帰バネとは別個に連結体に内装されていることを特徴とする携帯型の錠前用キー挿入補助具。
【請求項４】
請求項１に於いて、キーの差込み部分が、その両側縁部に複数の刻み溝を有しない平坦状のブランキーであることを特徴とする携帯型の錠前用キー挿入補助具。
【請求項５】
請求項１に於いて、外筒体は、両端開口の長筒状円筒体と、該長筒状円筒体の後端開口に嵌着するキャップ状の蓋体から成ることを特徴とする携帯型の錠前用キー挿入補助具。
【発明の詳細な説明】
【技術分野】
【０００１】
本発明は、携帯型の錠前用キー挿入補助具に関する。
【背景技術】
【０００２】
特許文献１には、「バリヤーフリーの観点から、キーを指で押し込むことにより、錠前を容易に解錠することができることを目的」として、「円柱状カムの外面にカム係合部及び先端面にブレード部分を有するキー本体と、前記カムに外係合すると共に、前記カム係合部に係合するカーブ状制御案内部を有する収納ケースとから成る錠前用キー」が開示されている。
【０００３】
この錠前用キーは、本発明と同様に携帯型であって、錠前を容易に施・解錠することを目的とするものであるが、本発明の所期の目的は、「錠前の鍵穴の形状や水平方向かそれとも垂直方向かの如何を問わず、仮に鍵穴の角度とキーの挿入角度が不一致の場合であっても、キーを自動的に錠前の鍵穴に誘導すること、その際、キーの差込み部分を鍵穴の縁部に交差状態に押し付けるので、キーを安定的に保持すること」であるから、発明の課題・構成が相違する。
【０００４】
また、特許文献２には、外筒体と、該外筒体に後退動可能に係合する内筒体を含む鍵収納ケースが記載され、図１には、本発明と同様に外筒体を持ちながら内筒体の先端面を錠前の鍵穴の周囲に押し付ける事項が記載されている。
しかしながら、該特許文献２の発明の目的は、錠前を改造することなく、低コストで鍵使用の検知手段を設けることであり、特許文献１と同様に発明の課題・構成が相違する。
【先行技術文献】
【特許文献】
【０００５】
【特許文献１】特開２００７−１６２２３０号公報
【特許文献２】特開２００１−２０７７０１号公報の図１
【発明の概要】
【発明が解決しようとする課題】
【０００６】
本発明の第１の目的は、錠前の鍵穴の形状や水平方向かそれとも垂直方向かの如何を問わず、仮に鍵穴の角度とキーの挿入角度が不一致の場合であっても、錠前の鍵穴の周囲に錠前用キー挿入補助具の先端部を押しつけながらキーの差込み部分を鍵穴へと自動的に誘導して挿入すると共に、キーの挿入時にキーの差込み部分を鍵穴の縁部に交差状態に押し付けても、キーを水平状態で安定的に保持することができることである。第２の目的は、鍵穴の角度とキーの挿入角度が不一致の場合に、その角度差如何を問わず、外筒体と連結体（例えば円筒体）とキーとをそれぞれ一体的に結合させて錠前の施・解錠操作を実現することである。第３の目的は、キー本体の回転角度の範囲を広げ、例えばキーの差込み部分が、その両側縁部に複数の刻み溝を有しない平坦状のブランキーであるものにも適用できることである。
【課題を解決するための手段】
【０００７】
本発明の携帯型の錠前用キー挿入補助具は、外筒体にキーガイドを介して後退かつ回転可能に支持されたキーと、外筒体に案内手段を介して非回転の状態で後退動可能に係合しかつ該外筒体の先端開口から突出する連結体と、キーを常に突出方向へ付勢するキー用復帰バネと、連結体を常に突出方向へ付勢する連結体用復帰バネとを備え、さらに、連結体の先端部側にキーの差込み部分を保持した状態で該キーと共に共働回転する可動キー保持体を設け、またキーの後端部側にキー回転止用の係合部を設け、キーが錠前の鍵穴に交差状態に圧接する際にキーガイドに誘導されて回転すると、可動キー保持体もキーと一緒に連結体に支持された状態で共働回転し、連結体が錠前の鍵穴の周囲（一部も含む）に押付けられながら所定位置まで後退すると共に、キーの差込み部分が鍵穴に完全に入り込んだ際に、該連結体の係合後端部が前記係合部に係合して外筒体と連結体とキーがそれぞれ一体的に結合することを特徴とする。
【発明の効果】
【０００８】
（ａ）キー１１を鍵穴ａに正確に合わせなくても、外筒体を持って押し付けるだけで、キー１１が自動的に鍵穴ａに誘導されるので、挿入が楽である。また、キーの挿入時にキーの差込み部分を鍵穴の縁部に交差状態に押し付けても、キー１１の後端部は外筒体内のキーガイドに回転可能な状態に支持され、一方、キー１１の先端部は連結体の先端部側に設けた可動キー保持体に支持されるので、キーは水平状態で安定的に保持される。したがって、キー挿入補助具の故障を防止することができる。
（ｂ）外筒体を錠前に押し付けた状態で錠前の施・解錠操作をすることができる。付言すると、キー１１の角度と鍵穴ａの角度が完全一致する場合のみならず、両者の角度が一致しない場合においても、可動キー保持体９の先端面を錠前Ｘの鍵穴ａ乃至その周囲ｂに当てながら外筒体１を押し付けると、前記鍵穴ａの縁に圧接するキー１１は回転しながら、最終的には、その差込み部分が鍵穴ａに誘導挿入され、それと同時に可動キー保持体９が後退動し始め、その後に連結体２１が後退動して、その後端部がキー１１の係合部を捕捉し、各構成部材１、１１、２１が一体的に結合することから、簡単な手順操作で錠前を施・解錠することができる。
（ｃ）キー本体の回転角度の範囲を広げることができるので、例えばキーの差込み部分が、その両側縁部に複数の刻み溝を有しない平坦状のブランキーであるものにも適用できる（請求項２、請求項４に記載の発明）。
（ｄ）可動キー保持体が、例えば連結体の先端部に所定位置で回転するように設けられている実施形態の場合は、キー挿入補助具のコンパクト化を図ることができると共に、（ａ）の効果を確実に実現することができる（請求項２に記載の発明）。
（ｅ）請求項３に記載の発明は、バネ部材の点数が増えるものの、（ａ）の効果を実現することができる。
（ｆ）請求項５に記載の発明は、外筒体に対するキーガイド、バネ部材等の組み合わせが容易である。
【図面の簡単な説明】
【０００９】
図１乃至図１８は本発明の最良の実施例（第１の実施形態）を示す各説明図。図１９及び図２０は本発明の第２の実施形態を示す各説明図。図２１は第３の実施形態の概略説明図。
【図１】本発明の全体の環境状態を示す概略説明図。
【図２】初期状態の概略説明図。
【図３】図２の３−３線端面図。
【図４】図２の４−４線端面図。
【図５】要部（キー回転止用の係合部、キーガイド、キー用復帰バネ等）を示す説明図。
【図６】外筒体、連結体等を縦断面で示した概略説明図。
【図７】可動キー保持体及び連結体を省略した状態の説明図。
【図８】要部（内部構造を省略）の説明図。
【図９】実施化（設計図）レベルの分解説明図。
【図１０】キーの先端面を錠前の鍵穴の縁部に押付けた際の可動キー保持体の説明図。
【図１１】図２の初期状態から操作して、キーの差込み部分が鍵穴に入り始めた中途状態の説明図。
【図１２】キーが外筒体のキーガイドに案内（回転しながら後退）される説明図。
【図１３】連結体としての内筒体の後端部がキーの係合部に係合する説明図。
【図１４】キーの差込み部分が錠前の鍵穴に完全に入り込んだ説明図。
【図１５】内筒体、キー、外筒体が一体的に回転可能である旨の説明図。
【図１６】第１の実施形態の通常時の外観構成を示す説明図。
【図１７】各操作態様における外観構成を示す説明図。
【図１８】錠前の施・解錠時における外観構成を示す説明図。
【図１９】本発明の最良の実施例（第２の実施形態）を示す説明図。
【図２０】可動キー保持体を含む要部の概略断面説明図。
【図２１】第１の実施形態の一部の設計変更した第３の実施形態の概略説明図。
【発明を実施するための最良の形態】
【００１０】
以下、図１乃至図１８に示す本発明を実施するための最良の形態により説明する。
【００１１】
（１）発明の実施の環境
図１は発明の実施の環境を示す概略説明図である。また、図２はキーの先端面、可動キー保持体の先端面等を錠前の鍵穴等に押付ける前の概略説明図である。図１及び図２に於いて、Ｘは錠前、ａは錠前の鍵穴、ｂは鍵穴の周囲（前面）、Ｙは扉、そして、Ｚは、本発明の携帯型の錠前用キー挿入補助具（以下、「キー挿入補助具」という。）である。
【００１２】
このキー挿入補助具Ｚは、図１及び図２の概念図で発明の技術的思想を示すように、後端部にキーガイド７を有する外筒体１と、この外筒体１に前記キーガイド７を介して後退かつ回転可能に支持されたキー１１と、前記外筒体１に案内手段３、２３を介して非回転の状態で後退動可能に係合し、かつ該外筒体１の開口端（先端開口）４から突出すると共に、前記キーの一部又は全部を覆う連結体の一例としての連結体２１と、前記キーガイド７に一部又は全部が設けられ、かつ前記キー１１を常に突出方向へ付勢するキー用復帰バネ３１と、前記外筒体１の内部空間２に一部又は全部が設けられ、かつ前記連結体２１を常に突出方向へ付勢する連結体用復帰バネ４１を備えている。
【００１３】
しかして、第１実施形態では、前記キー１１の差込み部分（キー本体）１６を保持した状態で該キー１１と共に共働回転する可動キー保持体９を筒状連結体２１の先端部に設け、また前記キー１１の後端部側にキー回転止用の係合部５１を設け、前記キー１１が錠前Ｘの鍵穴ａに交差状態に圧接する際にキーガイド７に誘導されて回転すると、前記可動キー保持体９も前記連結体２１に支持された状態で共働回転し、さらに、前記連結体２１が錠前の鍵穴ａの周囲（一部も含む）に押付けられながら所定位置まで後退した時に、前記キー１１が鍵穴ａに完全に入り込み、その際、連結体２１の係合後端部（例えば内周壁の係合歯）２２が前記係合部（例えば平歯車状の係合歯）５１に係合（例えば外嵌合）して、外筒体１と筒状連結体２１とキー１１がそれぞれ一体的に結合する。
【００１４】
（２）錠前Ｘの鍵穴ａ
錠前Ｘの鍵穴ａは、水平方向又は垂直方向のいずれであっても良い。また鍵穴ａの形状は、例えばブレード部分と称される差込み部分の両側縁部分に刻み状の鍵溝を有するもの、又はブランキーと称される平坦面に幾何学的溝、逆円錐台状窪み等を有するものがそれぞれ挿入可能なものであれば良い。図７、図１１等で示すように、本実施形態のキーはブランキーと称されるものなので、錠前Ｘの鍵穴ａは、例えば単純な水平方向の穴である。
【００１５】
（３）キー挿入補助具Ｚの外筒体１
図３は図２の３−３線端面図である。図３で示すように、キー挿入補助具Ｚは、連結体の一例としての連結体２１と、該内筒体に外係合する外筒体１とを備えている。そして、ハッチングで示したキー１１は、連結体２１の内部空間の略中央部に位置している。
さて、連結体２１と外筒体１は共に円筒状に形成され、本実施形態では、案内手段の一方を構成する複数個の係合突起２３、２３はパイプ状連結体２１の外周壁の左右に一対設けられ、一方、案内手段の他方を構成する係合溝３、３は、外筒体１の内周壁の左右部位に長さ方向に沿って一対形成されている。
【００１６】
連結体２１の前記係合突起２３、２３は外筒体１の前記係合溝３、３に係合しているから、連結体２１は外筒体１に複数の案内手段３、２３を介して非回転の状態でかつ後退動可能に係合していることに成る。
【００１７】
ここで、図２を参照にして外筒体１の構成を説明すると、２は外筒体１の内部空間で、この内部空間２は、開口端４を形成する環状のストッパ部分５と短筒状のキーガイド７の先端内面の間の領域である。したがって、この内部空間２内に前述した複数の係合溝３、３が筋条（直線状）に形成されている。
【００１８】
ところで、外筒体１は、実施化レベルでは、例えば図５、図９等で示すように、両端開口の長筒状円筒体１ａと、該長筒状円筒体１ａの後端開口に嵌着するキャップ状の蓋体１ｂから成る。このように構成すると、キー用復帰バネ３１やキーガイド７（実施形態では二分割されたもの）を外筒体１の後端部内に容易に組み込むことができる。なお、キー用復帰バネ３１、キーガイド７等を外筒体１の後端開口から組込んだ後は、キャップ状蓋体１ｂを嵌着し、かつ複数個の固着具１０でもって蓋体１ｂを長筒状円筒体１ａに固定する。
【００１９】
（４）キーガイド７
図４は図２の４−４線端面図である。図４で示すように、短筒状のキーガイド７は、キー挿入補助具Ｚの中央部に相当する中央穴１２に単数又は複数の螺旋状案内溝８又は該螺旋状案内溝に係合する小突起１３のいずれかを有する。本実施形態では、例えば図５で示すように、螺旋状案内溝８を、キー１１の後端部外周壁に形成しているので、前記単数又は複数（本実施形態）の小突起１３は、短筒状のキーガイド７の方に形成されている。
したがって、長尺状のキー１１は、外筒体１に前記キーガイド７を介して後退かつ回転可能に支持されている。本実施形態では、キーガイド７は、例えば図９で示すように均等状態に二分割されているが、もちろん、「一物品」で構成しても良い。
【００２０】
また、本実施形態では、外筒体１とキーガイド７をそれぞれ硬質の合成樹脂で別個に成形し、両端開口の長筒状外筒体内の後端部に短筒状キーガイド７を固定的に組み込み、かつ、長筒状円筒体１ａの後端開口を蓋体１ｂで閉じているが、外筒体１とキーガイド７は、予め一体に成形されていても良い。さらに、前述で示唆したように、単数又は複数の螺旋状案内溝８をキーガイド７の中央穴１２を形成する内周壁に形成し、一方、これに係合する単数又は複数の小突起１３を長尺状のキー１１の後端部外周壁に形成しても良い。
【００２１】
（５）連結体２１
連結体２１は、図２で示すように、初期状態では、連結体用復帰バネ４１のバネ力により外筒体１の先端開口４から突出すると共に、キー１の後端部寄りの部位に固定的に設けられた係合部５１及び螺旋状案内溝８を有する後端部を除き、キー１の一部を直接又は間接的に覆っている。
【００２２】
付言すると、円筒状の連結体２１は、初期状態の時、外筒体１の先端開口４から外れないように、例えば係合後端部２２の外周壁にフランジ状の当接部分２４を有し、該当接部分２４は外筒体１のストッパ部分５に圧接している。
【００２３】
また、連結体２１は、初期状態の時はキー１を捕捉（結合）していないものの、後述するように、内筒体が錠前Ｘの鍵穴ａの周囲ｂに押付けられながら、かつ連結体用復帰バネ４１のバネ力に抗して所定位置まで後退した時に、その係合後端部２２がキー１の係合部５１に係合（捕捉）する。
【００２４】
その結果、外筒体１とキー１１と連結体２１がそれぞれ一体的に結合する。ところで、連結体２１は、本実施形態ではキー１１の一部を間接的に覆っているが、これは発明の本質的事項ではなく、実施例形態如何によっては、後端部側を除き、差込み部分（キー本体）１６側を略全体的に覆っていても良い。また、キー１１の差込み部分が連結体２１の先端面から突出していても良い。
【００２５】
（６）可動キー保持体９
例えば図１、図２、図１０で示すように、先端部に鍵穴と対応するキー案内長孔９ａを有する円筒状の可動キー保持体９は、キー１１の差込み部分（キー本体）１６を保持した状態で該キー１１と共に共働回転するように筒状連結体２１の先端部側に設けられている。この可動キー保持体９は、図１０の（ａ）、（ｂ）で示すように、キー１１が錠前Ｘの鍵穴ａに交差状態に圧接する際に、該キー１１がキーガイド７に誘導されて回転すると、筒状連結体１の内周に支持された状態で共働回転すると共に、その先端面が前記鍵穴ａの周囲に圧接すると、本実施形態では、連結体用復帰バネ４１のバネ力に抗して所定量後退可能である。
【００２６】
なお、可動キー保持体９の挿入内端部には、筒状連結体１の開口先端部に周設した不番のストッパに当接するフランジ状の係合部分９ｂが設けられている。またキー案内長孔９ａを有する可動キー保持体９の先端部は、差込み部分１６の平坦面の両サイドをサンドイッチ状に案内する一対の案内壁となっている。
【００２７】
（７）係合部５１、連結体用復帰バネ４１、キー用復帰バネ３１
図５はキー回転止用の係合部５１、連結体用復帰バネ４１、キー用復帰バネ３１等の要部を示す説明図である。この図に於いて、４１は連結体用復帰バネで、この連結体用復帰バネ４１は、例えば可動キー保持体９を突出方向へ付勢するように該可動キー保持体９の内端部とキーの後端部側に設けた係合部５１との間に嵌挿されている。キー回転止用の係合部５１は、本実施形態では、キー１１の中央部或いは後端部寄りの部位に固定的に設けられている。該係合部５１は楕円或いは環状の形態であり、その外周に単数又は複数の係合歯５１ａが形成されている。なお、係合部５１は、その中心部に非真円或いは角形状の係合孔を有している。
【００２８】
ところで、前記係合部５１は、本実施形態では、キー１１の後端部寄りの部位に鍔状に設けられ、該鍔状係合部５１には、少なくとも１以上の被係合歯或いは係合歯５１ａが形成されている。
【００２９】
付言すると、筒状連結体２１の係合後端部２２の内周壁には、少なくとも１以上の係合歯或いは被係合歯が形成され、一方、キー回転止用の係合部５１の外周面には、前記係合歯或いは被係合歯に嵌脱する被係合歯或いは係合歯５１ａが形成されている。もちろん、鍔状係合部５１及び係合歯５１ａの各形状は、係合部５１とキー１１が一体的に係脱可能であれば、任意に設計変更することができる事項である。
【００３０】
また、特に図示しないが、筒状連結体２１の係合後端部２２とキー回転止用の係合部５１との係脱構造は、公知・周知のクラッチ機構（円盤体の対向面同士の凹凸、ゴム板に対する摩擦係合など）であっても良い。
【００３１】
さらに、キー用復帰バネ３１は、例えば図５で示すように、キーガイド７の先端部に形成した凹所の内面とキー回転止用係合部５１の後端面との間で螺旋状案内溝８を有する後端部を巻装するように配設されている。もちろん、キー用復帰バネ３１の配設箇所は一例であって、例えばキーガイド７の中央孔１２を形成する外筒体１の後壁（実施形態によっては蓋体）の内面とキー１１の後端面の間に介在され、キー１１を常に突出する方向に付勢するようにしても良い。このキー用復帰バネ３１の付勢力は、前方に位置している連結体用復帰バネ４１のそれよりも強く設定されている。キー用復帰バネ３１並びに連結体用復帰バネ４１の線径、巻き数、強さ等は、キー１１の回転後退、連結体２１の後退動等を考慮して適宜に設定される事項である。
【００３２】
（８）キー１１の実施化レベルの詳細
ここで、図９を参照にして、キー１１の実施化レベルの構成を説明する。まず１５は、キー１１を構成するシャフトで、このシャフト１５の角軸部に歯車状の係合部５１が固定的に外係合している。１６は差込み部分（キー本体）で、このキー本体１６の後端部は、キー押え部材としてのやや肉厚状固定平板１７及び複数個の固着具１８を介して前記シャフト１５の先端部側に固定されている。シャフト１５の後端部には、前述したように２本の螺旋状案内溝８、８が形成され、これらの螺旋状案内溝には、キーガイド７の中央孔１２の内周壁に形成された複数の小突起（係合部）１３が係合する。
【００３３】
したがって、キー１１は、キー用の案内手段（小突起１３、螺旋状案内溝８）を介して軸方向へ後退する際は回転しながら後退する。図１２はキー１１が回転可能である旨の説明図である。
【００３４】
（９）手順・作用
図１、図２等で示すように、初期位置（携帯時の通常位置）では、筒状連結体２１は自己の復帰バネ４１のバネ力により、可動キー保持体９を介して外筒体１の先端開口４から突出している。また、前記可動キー保持体９は連結体用復帰バネ４１のバネ力により、筒状連結体２１の先端開口から所定量突出している。さらに、キー（キー本体１６）１１も自己の復帰バネ３１のバネ力により、可動キー保持体９を介して外筒体１の先端開口４から突出しているものの、実施形態のものは略（おおよそ）全体が可動キー保持体９に覆われ、可動キー保持体９の先端面とキー（キー本体１６）１１の差込み部分の先端面は、略同一位置である。
【００３５】
図１０は、キーの先端面を錠前の鍵穴の縁部に押付けた際の可動キー保持体９の説明図である。この図１０で示すように、例えば外筒体１を持ってキー１１が錠前Ｘの鍵穴ａに交差状態に圧接すると、該キー１１はキーガイド７に誘導されて回転し始める。その時、可動キー保持体９は筒状連結体１の内周に支持された状態でキー１１と共に共働回転する。
【００３６】
図１１は、キー挿入補助具Ｚを図２の初期状態から押し付け操作して、キー１１の差込み部分１６が鍵穴ａに入り始めた中途状態の説明図、図１２はキー１１が外筒体１のキーガイド７に案内される（回転する）説明図である。
【００３７】
本実施形態では、可動キー保持体９は、キー１１が錠前Ｘの鍵穴ａに交差状態に圧接する際に、キー１１が鍵穴ａに入り込むのに対応して、その先端面が前記鍵穴ａの周囲に圧接すると、連結体用復帰バネ４１のバネ力に抗して所定量後退可能である。ここで、図１２を参照にして、キー１１の作用について説明をする。
【００３８】
キー１１の差込み部分の先端面が鍵穴ａに対して不一致の場合、例えば差込み部分１６の先端面が水平或いは垂直方向の鍵穴ａに対して、４５度、５０度、９０度という具体に大きく交差している場合に於いて、外筒体１を矢印Ａ方向へ押し付けると、キー１１の差込み部分１６の先端面が鍵穴ａ縁部分に圧接するので、キー１１は外筒体１のキーガイド７に案内され、矢印Ｃ方向に回転しながら矢印Ｂ方向に後退動する。そして、キー１１の差込み部分１６が鍵穴ａに入り込むと、前述したように可動キー保持体９は連結体用復帰バネ４１のバネ力に抗して所定量後退する。
【００３９】
そうすると、今度は連結体２１の先端面が錠前Ｘの鍵穴ａの周囲ｂに当る。キー挿入補助具Ｚをさらに押し付けると、連結体２１は自己の復帰バネ４１のバネ力に抗して外筒体１の内部へと没入する。一方、連結体２１の後退動に対応してキー１１の差込み部分がそのまま鍵穴ａに入り込む（この時、キーは非回転）。
【００４０】
図１３は連結体２１の後端部がキー１１の係合部５１に嵌合状態に係合する説明図である。まず、キー１１の差込み部分の先端面が鍵穴ａ縁部分に圧接しながら可動キー保持体９と共働回転し、次に、キー１１の角度と鍵穴ａの角度が完全一致する状態になると、最終的にはキー１１の差込み部分が鍵穴ａに入り込むと同時に外筒体１内に円筒状可動キー保持体９及び円筒状連結体２１は収縮状態に入り込む。この収縮状態の時、図１３で示すように、該連結体２１の係合後端部２２がキー１１の係合部５１に係合して外筒体１と連結体２１とキー１１がそれぞれ一体的に結合する。
【００４１】
図１５は連結体２１、キー１１、外筒体１が一体的に回転可能である旨の説明図である。係合（結合）時、連結体２１とキー１１は係合部・被係合部としての凹凸が互いに噛み合い、また連結体２１と外筒体１は案内手段（筋状係合溝３、係合突起２３）を介して一体的に係合しているので、外筒体１を持って施・解錠方向へ操作することができる。
【実施例】
【００４２】
発明の実施の形態で示した実施例に於いて、連結体２１は筒状体である旨を説示したが、その形状は完全な筒状体に限定する必要はない。連結体２１は非回転状態で後退動し、かつキー１１の係合部（係合部）５１に係合すれば十分（外筒体に対してスイッチ的機能、或いは捕捉係合機能）であるから、その形態は発明の目的を逸脱しない範囲で任意に設計変更することができる。例えば本発明を回避するために、連結体２１を断面Ｕ字形状、Ｃ字形状等に設計変更をし、連結体２１の先端部が錠前Ｘの鍵穴ａの鍵穴の周囲の一部ｂに圧接するように構成しても、発明の本質的事項は変わらない。
【００４３】
また、図１９及び図２０の第２の実施形態の如く、連結体２１等を設計変更し、例えば可動キー保持体９Ａを、筒状連結体の先端部に所定位置で回転するように設けても良い。このように構成すると、一つの内筒体で済むので、キー挿入補助具Ｚをコンパクト化することができる。
【００４４】
さらに、図２１は、第１の実施形態の一部を設計変更した第３の実施形態の概略説明図である。この第３の実施形態では、可動キー保持体９Ｂが筒状連結体２１の先端部に回転かつ後退動可能に嵌合する第２の実施形態に於いて、連結体用復帰バネ４１が外筒体に内装されていると共に、該可動キー保持体用の復帰バネ３５が、連結体用復帰バネ４１とは別個にバネ端支持部３６を有する可動キー保持体９に内装されている。このように、バネ部材の数を増やす、バネ部材の配設箇所を変更する等の設計変更をしても、実質的に同一発明である。
【産業上の利用可能性】
【００４５】
本発明は、主に錠前や建具の業界で利用される。
【符号の説明】
【００４６】
Ｘ…錠前、ａ…鍵穴、ｂ…鍵穴の周囲、Ｙ…扉、Ｚ…キー挿入補助具、1…外筒体、２…内部空間、３…案内手段（係合溝）、４…先端開口、５…ストッパ部分、７…キーガイド、８…キー用の案内手段（螺旋状案内溝）、９、９Ａ、９Ｂ…可動キー保持体、１１…キー、１２…中央穴、１３…小突起、１５…シャフト、１６…キー本体、２１…連結体（内筒体）、２２…内部空間、２３…案内手段（係合突起）、２４…当接部分、３１…キー用復帰バネ、４１…連結体用復帰バネ、、５１…キー回転止用の係合部、５１ａ…係合歯。
【図１】
2012172495.tif 000003
【図２】
2012172495.tif 000004
【図３】
2012172495.tif 000005
【図４】
2012172495.tif 000006
【図５】
2012172495.tif 000007
【図６】
2012172495.tif 000008
【図７】
2012172495.tif 000009
【図８】
2012172495.tif 000010
【図９】
2012172495.tif 000011
【図１０】
2012172495.tif 000012
【図１１】
2012172495.tif 000013
【図１２】
2012172495.tif 000014
【図１３】
2012172495.tif 000015
【図１４】
2012172495.tif 000016
【図１５】
2012172495.tif 000017
【図１６】
2012172495.tif 000018
【図１７】
2012172495.tif 000019
【図１８】
2012172495.tif 000020
【図１９】
2012172495.tif 000021
【図２０】
2012172495.tif 000022
【図２１】
2012172495.tif 000023